(57)【要約】【課題】入力同期信号にスキューや信号欠損等の不良が発生しても良質で安定した同期信号を再生し、且つＰＬＬ回路に特殊な回路を追加させる必要がないようにする。【解決手段】入力同期信号Ｓ１から抽出した水平同期信号Ｓ２の周期の平均値に対応した周期パルスをもつ仮想同期信号Ｓ４を発生する仮想同期信号発生器１０と、仮想同期信号発生器１０から出力する仮想同期信号Ｓ４と入力同期信号Ｓ１の一方を選択する切替器３０と、入力同期信号Ｓ１に存在するスキューあるいは信号欠損を検出するスキュー／欠損検出器２０と、切換器３０から出力する同期信号又は仮想同期信号を入力して水平同期信号を再生するＰＬＬ回路５０とを備え、切替器３０はスキュー／欠損検出器２０がスキュー／欠損の有りを検出したとき仮想同期信号Ｓ４を選択し、スキュー／欠損の無しを検出しないとき入力同期信号Ｓ１を選択する。【選択図】図１
2014072654.tif 000002
【特許請求の範囲】
【請求項１】
入力同期信号を入力して該入力同期信号から抽出した水平同期信号の周期の平均値に対応した周期パルスをもつ仮想同期信号を発生する仮想同期信号発生器と、該仮想同期信号発生器から出力する前記仮想同期信号と前記入力同期信号の一方を選択する切替器と、前記入力同期信号に存在するスキューあるいは信号欠損を検出するスキュー／欠損検出器と、前記切換器から出力する同期信号又は仮想同期信号を入力して水平同期信号を再生するＰＬＬ回路とを備え、
前記切替器は前記スキュー／欠損検出器がスキュー／欠損の有りを検出したとき前記仮想同期信号を選択し、スキュー／欠損の無しを検出しないとき前記入力同期信号を選択することを特徴とする同期再生装置。
【請求項２】
請求項１に記載の同期再生装置において、
前記仮想同期信号発生器は、前記入力同期信号から水平同期信号を抽出する水平同期抽出回路と、該水平同期抽出回路で抽出された水平同期信号の周期データを発生する周期データ発生回路と、該周期データ発生回路で発生した周期データを積分して平均値データを発生する周期データ平均化回路と、前記入力同期信号が入力したとき又は前記入力同期信号が入力してから前記平均値データ分が時間経過したとき、前記仮想同期信号を発生する仮想同期信号発生回路とを備えることを特徴とする同期再生装置。
【請求項３】
請求項２に記載の同期再生装置において、
前記仮想同期信号発生器は、前記スキュー／欠損検出器がスキュー／欠損の有りを検出したとき、その検出立上り信号が前記仮想同期信号に加算されるようにしたことを特徴とする同期再生回路。
【請求項４】
請求項２に記載の同期再生装置において、
前記周期データ平均化回路は、前記周期データ発生回路で得られる周期データが予め決めた基準値から所定量以上外れているとき、該周期データを前記積分対象から外すことを特徴とする同期再生装置。
【請求項５】
請求項２に記載の同期再生装置において、
前記仮想同期信号発生回路は、オア回路と、該オア回路を介して前記入力同期信号が入力したときリセットされてクロックのカウントを開始し仮想同期カウント値を出力するカウンタと、該カウンタの仮想同期カウント値が前記平均値データと一致すると前記オア回路を介して該カウンタをリセットさせる仮想信号発生回路とを備え、且つ前記オア回路の出力は前記仮想同期信号であり、
前記スキュー／欠損検出器は、前記カウンタの仮想同期カウント値が前記平均値データに一致するタイミングの前後所定期間を示すスキュー／欠損範囲を決めるスキュー／欠損範囲発生回路と、該スキュー／欠損範囲発生回路で得られるスキュー／欠損範囲内に前記入力同期信号が存在するときスキュー／欠損の無しを検出し、存在しないときスキュー／欠損の有り検出するスキュー／欠損検出回路を備えることを特徴とする同期再生装置。
【請求項６】
請求項５に記載の同期再生装置において、
前記スキュー／欠損検出器は、前記スキュー／欠損検出回路が前記スキュー／欠損を所定回数以上検出したとき、前記切換器をして前記入力同期信号を選択すれるように切り替えるスキュー／欠損制限回路を備えることを特徴とする同期再生装置。
【発明の詳細な説明】
【技術分野】
【０００１】
本発明は、映像信号の同期信号にスキューや信号欠損等の不良が発生していても良質な安定した同期信号を再生できるようにした同期再生装置に関する。
【背景技術】
【０００２】
入力同期信号Ｓ１にスキューや信号欠損等の不良が発生している場合、図１１に示すように、ＰＬＬ回路７０に入力感度の低いＸＶＣＯを用いたり、ブランキング期間検出回路８０によってＣＯＡＳＴ信号をＳ２０を作成して、水平同期信号の２倍の周波数の等価パルスを含む垂直同期部分にマスクをかけ、その期間はＰＬＬ回路７０を自走発振させていた（例えば、特許文献１の図５）。
【先行技術文献】
【特許文献】
【０００３】
【特許文献１】特開２０００−０３２３８４号公報
【発明の概要】
【発明が解決しようとする課題】
【０００４】
しかし、図１１の同期再生装置では、ＰＬＬ回路７０にＣＯＡＳＴ回路を持たせる必要があり、価格が高くなり、その選択範囲が狭くなるという問題があった。
【０００５】
本発明の目的は、入力同期信号にスキューや信号欠損等の不良が発生しても良質で安定した同期信号を再生でき、且つＰＬＬ回路に特殊な回路を追加させる必要がないようにした同期再生装置を提供することである。
【課題を解決するための手段】
【０００６】
上記目的を達成するために、請求項１にかかる発明は、入力同期信号を入力して該入力同期信号から抽出した水平同期信号の周期の平均値に対応した周期パルスをもつ仮想同期信号を発生する仮想同期信号発生器と、該仮想同期信号発生器から出力する前記仮想同期信号と前記入力同期信号の一方を選択する切替器と、前記入力同期信号に存在するスキューあるいは信号欠損を検出するスキュー／欠損検出器と、前記切換器から出力する同期信号又は仮想同期信号を入力して水平同期信号を再生するＰＬＬ回路とを備え、前記切替器は前記スキュー／欠損検出器がスキュー／欠損の有りを検出したとき前記仮想同期信号を選択し、スキュー／欠損の無しを検出しないとき前記入力同期信号を選択することを特徴とする。
請求項２にかかる発明は、請求項１に記載の同期再生装置において、前記仮想同期信号発生器は、前記入力同期信号から水平同期信号を抽出する水平同期抽出回路と、該水平同期抽出回路で抽出された水平同期信号の周期データを発生する周期データ発生回路と、該周期データ発生回路で発生した周期データを積分して平均値データを発生する周期データ平均化回路と、前記入力同期信号が入力したとき又は前記入力同期信号が入力してから前記平均値データ分が時間経過したとき、前記仮想同期信号を発生する仮想同期信号発生回路とを備えることを特徴とする。
請求項３にかかる発明は、請求項２に記載の同期再生装置において、前記仮想同期信号発生器は、前記スキュー／欠損検出器がスキュー／欠損の有りを検出したとき、その検出立上り信号が前記仮想同期信号に加算されるようにしたことを特徴とする。
請求項４にかかる発明は、請求項２に記載の同期再生装置において、前記周期データ平均化回路は、前記周期データ発生回路で得られる周期データが予め決めた基準値から所定量以上外れているとき、該周期データを前記積分対象から外すことを特徴とする。
請求項５にかかる発明は、請求項２に記載の同期再生装置において、前記仮想同期信号発生回路は、オア回路と、該オア回路を介して前記入力同期信号が入力したときリセットされてクロックのカウントを開始し仮想同期カウント値を出力するカウンタと、該カウンタの仮想同期カウント値が前記平均値データと一致すると前記オア回路を介して該カウンタをリセットさせる仮想信号発生回路とを備え、且つ前記オア回路の出力は前記仮想同期信号であり、前記スキュー／欠損検出器は、前記カウンタの仮想同期カウント値が前記平均値データに一致するタイミングの前後所定期間を示すスキュー／欠損範囲を決めるスキュー／欠損範囲発生回路と、該スキュー／欠損範囲発生回路で得られるスキュー／欠損範囲内に前記入力同期信号が存在するときスキュー／欠損の無しを検出し、存在しないときスキュー／欠損の有り検出するスキュー／欠損検出回路を備えることを特徴とする。
請求項６にかかる発明は、請求項５に記載の同期再生装置において、前記スキュー／欠損検出器は、前記スキュー／欠損検出回路が前記スキュー／欠損を所定回数以上検出したとき、前記切換器をして前記入力同期信号を選択すれるように切り替えるスキュー／欠損制限回路を備えることを特徴とする。
【発明の効果】
【０００７】
本発明によれば、入力同期信号にスキューや信号欠損等の不良が発生したときは仮想同期信号をＰＬＬ回路に入力させるので、良質で安定した同期信号を生成でき、且つＰＬＬ回路に特殊な回路を追加させる必要がない利点がある。
【図面の簡単な説明】
【０００８】
【図１】本発明の原理説明用の同期再生装置の構成図である。
【図２】本発明の１つの実施例の同期再生装置の構成図である。
【図３】図２の水平同期抽出回路と周期データ検出回路の回路図である。
【図４】図３の水平同期周出回路の動作波形図である。
【図５】図２の周期データ平均化回路の回路図である。
【図６】図２の仮想同期信号発生回路の回路図である。
【図７】図６の仮想同期信号発生回路の動作波形図である。
【図８】図２のスキュー／欠損範囲発生回路の動作波形図である。
【図９】図２のスキュー／欠損検出回路の動作波形図である。
【図１０Ａ】入力同期信号に欠損のある場合の図２の同期再生装置の動作波形図である。
【図１０Ｂ】入力同期信号に間隔が縮んだスキューのある場合の図２の同期再生装置の動作波形図である。
【図１０Ｃ】入力同期信号に間隔が延びたスキューのある場合の図２の同期再生装置の動作波形図である。
【図１１】従来の同期再生装置の構成図である。
【発明を実施するための形態】
【０００９】
＜本発明の原理＞
図１に本発明の同期再生装置の原理構成を示す。本発明の同期再生装置は、入力同期信号Ｓ１を入力して仮想同期信号Ｓ４を発生する仮想同期信号発生器１０と、入力同期信号Ｓ１に含まれるスキュー（パルス間隔の伸縮）や信号欠損を検出するスキュー／欠損検出器２０と、そのスキュー／欠損検出器２０から出力する同期切替信号Ｓ７によって仮想同期信号Ｓ４と入力同期信号Ｓ１の一方を選択して同期信号Ｓ９とする切替器３０と、同期信号Ｓ９から不要信号を除去する不要信号除去回路４０と、その不要信号除去回路４０から出力する同期信号Ｓ１０を入力して再生同期信号Ｓ１１を生成するＰＬＬ回路５０とを備える。切替器３０は、同期切替信号Ｓ７が“１”のとき仮想同期信号Ｓ４を選択し、“０”のとき入力同期信号Ｓ１を選択する。
【００１０】
＜実施例＞
図２に、本発明の同期再生装置の１つの実施例を示す。仮想同期信号発生器１０は、入力同期信号Ｓ１から水平同期信号Ｓ２を抽出する水平同期抽出回路１１と、抽出した水平同期信号Ｓ２を入力してその周期を示す周期データＤ１を検出する周期データ検出回路１２と、その周期データＤ１を入力して平均値データＤ２を生成する周期データ平均化回路１３と、平均値データＤ２と抽出した水平同期信号Ｓ２を入力して仮想同期信号Ｓ３と仮想同期カウント値Ｄ３を発生する仮想同期信号発生回路１４と、仮想同期信号Ｓ３とスキュー／欠損検出器２０から出力する後記する立上りエッジ検出信号Ｓ８とを加算する加算器１５を備える。
【００１１】
また、スキュー／欠損検出器２０は、平均値データＤ２と仮想同期カウント値Ｄ３を入力して仮想同期カウント値Ｄ３が平均値データＤ２の概ね±３クロックのデータ範囲を示すスキュー／欠損範囲信号Ｓ５を発生するスキュー／欠損範囲発生回路２１と、入力同期信号Ｓ１の有無に応じてスキュー／欠損範囲信号Ｓ５の立下りタイミングでスキュー／欠損検出信号Ｓ６を“０”又は“１”にするスキュー／欠損検出回路２２と、スキュー／欠損検出信号Ｓ６の“１”が所定回数（例えば、１５Ｈの期間）発生したとき欠損ではなく無信号と判定し同期切替信号Ｓ７を“０”にして切換器３０が入力同期信号Ｓ１を選択するようにするスキュー／欠損制限回路２３と、同期切替信号Ｓ７の立上りエッジ検出信号Ｓ８を出力する立上りエッジ検出回路２４を備える。以下、個々の回路部分について説明する。
【００１２】
図３に水平同期信号抽出回路１１と周期データ検出回路１２の具体例を示す。図４にそれらの動作波形を示す。立上りエッジ検出回路１１１は、入力同期信号Ｓ１の立上りエッジを検出して立上り信号Ｓ１２を出力し、アンド回路１１２に入力する。アンド回路１１２は、それがゲートを開いているときに立上り信号Ｓ１２が入力すると水平同期信号Ｓ２を“１”のパルスにする。この水平同期信号Ｓ２が“１”になると、クロックＣＬＫをカウントするカウンタ１１３がリセットされるとともに、周期データ検出回路１２を構成するＦＦ回路１２１が、カウンタ１１３のリセット直前のカウント値Ｐ１を格納する。
【００１３】
マスク発生回路１１４は、カウンタ１１３のカウント値Ｐ１が、マスク範囲パラメータＰ＊未満（０＜Ｐ１＜Ｐ＊）のとき、マスク信号Ｙ１を“０”にセットしてアンド回路１１２のゲートを閉じ、Ｐ＊以上（Ｐ＊＜Ｐ１）のときマスク信号Ｙ１を“１”にしてアンド回路１１２のゲートを開く。このマスク範囲パラメータＰ＊は、水平同期信号周期の概ね８５％に相当するカウント値に設定されている。よって、アンド回路１１２は、カウンタ１１３のカウント値Ｐ１が水平同期信号Ｓ１の周期に一致したときに、入力同期信号Ｓ１のパルスを通過させて水平同期信号Ｓ２を“１”にする。
【００１４】
このようにすることで、アンド回路１１２から垂直同期期間の等価パルスや不要信号が除去された水平同期信号Ｓ２が抽出され、ＦＦ回路１２１から水平期間を示す周期データＤ１（そのときのカウント値Ｐ１）が得られる。
【００１５】
図５に、周期データ平均化回路１３の具体例を示す。周期データ検出回路１２から出力する周期データＤ１は、ｎ段のＤＦＦ１３１からなるシフトレジスタ１３２に入力され、水平同期信号Ｓ２が“１”になる毎に順次シフトする。ｎ段のそれぞれのＤＦＦ１３１の出力データは加算器１３３によって加算され、割算器１３４で１／ｎに割り算されること（積分）で、平均の周期データを示す平均値データＤ２となる。加算データ制限器１３４は、内部設定した周期の論理値（基準値）に対して周期データＤ１が大きく異なる場合、例えば、概ね±１０％以上異なるとき、出力信号Ｓ１３を“０”に設定してアンド回路１３５のゲートを閉じて水平同期信号Ｓ２の入力を遮断し、シフトレジスタ１３２のシフト動作を停止させる。これにより、論理値に対して大きく異なる周期データＤ１を、平均化の対象から除外する。
【００１６】
図６に、仮想同期信号発生回路１４の具体例を示す。抽出した水平同期信号Ｓ２は、それが“１”のとき、オア回路１４１を経由してカウンタ１４２をリセットする。また、この水平同期信号Ｓ２は、仮想同期信号Ｓ３として出力する。仮想信号発生回路１４３は、カウンタ１４２のカウント値である仮想同期カウンタ値Ｄ３が、平均値データＤ２と等しくなったとき（Ｄ３＝Ｄ２）、一致信号Ｙ２を“１”にしてオア回路１４１に入力させる。よって、仮想同期信号Ｓ３は、水平同期信号Ｓ２が“１”のとき、および仮想同期カウント値Ｄ３が平均値データＤ２に等しいときに、“１”となり、それ以外では“０”である。
【００１７】
図７に仮想同期信号発生回路１４の動作波形を示す。図７（ａ）は定常状態において抽出した水平同期信号Ｓ２によってカウンタ１４２がリセットされている様子を示す。図７（ｂ）は水平同期信号Ｓ２が欠損していて抽出されず、仮想同期カウント値Ｄ３が平均値データＤ２に等しくなったときカウンタ１４２がリセットされている様子を示す。図７（ｃ）は抽出した水平同期信号Ｓ２がスキュー等により通常よりも遅れて発生していて、仮想同期カウント値Ｄ３が平均値データＤ２に等しくなったときカウンタ１４２が仮想同期信号Ｓ３によりリセットされ、そのカウンタ１４２がさらにその後に入力した水平同期信号Ｓ２によって再度リセットされている様子を示す。
【００１８】
スキュー／欠損範囲発生回路２１は、仮想同期カウント値Ｄ３が平均値データＤ２に一致するタイミングに対して概ね前後３クロック分のデータ範囲において、スキュー／欠損範囲信号Ｓ５を“１”にする。図８にスキュー／欠損範囲発生回路２１の動作波形を示した。この図８は、仮想同期カウント値Ｄ３が「Ｄ２−２」から「２」のデータ範囲でスキュー／欠損範囲信号Ｓ５が“１”になっていることを示している。
【００１９】
図９にスキュー／欠損検出回路２２の動作波形図を示す。図９（ａ）は、スキュー／欠損範囲発生回路２１から出力したスキュー／欠損範囲信号Ｓ５の“１”の範囲内に、入力同期信号Ｓ１が存在する定常状態を示し、このときはスキュー／欠損範囲信号Ｓ５が“１”から“０”に立ち下がったとき、スキュー／欠損検出信号Ｓ６は“１”から“０”になる。また、図９（ｂ）は、スキュー／欠損範囲信号Ｓ５の“１”の範囲内に入力同期信号Ｓ１が存在しない状態を示し、このときはスキュー／欠損範囲信号Ｓ５が“１”から“０”に立ち下がったとき、スキュー／欠損検出信号Ｓ６は“０”から“１”になる。このようにすることで、スキューや欠損を示すスキュー／欠損検出信号Ｓ６を得ることができる。
【００２０】
スキュー／欠損制限回路２３は、スキュー／欠損検出信号Ｓ６が“１”で所定回数（例えば、１５Ｈの期間）発生したとき、このときはスキュー／欠損ではなく入力同期信号Ｓ１が無信号であると判定し、同期切替信号Ｓ７を“０”にして切換器３０が入力同期信号Ｓ１を選択するようにする。それ以外では、スキュー／欠損検出信号Ｓ６をそのまま通過させて同期切替信号Ｓ７とする。切換器３０は、前述したように、この同期切替信号Ｓ７が“０”のときは入力同期信号Ｓ１を選択し、“１”のときは仮想同期信号Ｓ４を選択する。
【００２１】
立上りエッジ検出回路２４は、スキュー／欠損制限回路２３から出力する同期切替信号Ｓ７が“０”から“１”に立ち上がるとき、立上りエッジ信号Ｓ８を“１”にして、加算器１５に入力させる。よって、同期切替信号Ｓ７が“１”に立ち上がるときは仮想同期信号Ｓ４が必ず“１”になる。
【００２２】
不要信号除去回路４０は、図３に示した水平同期抽出回路１１と同じ構成であり、切換器３０から出力する同期信号Ｓ９（図３のＳ１相当）が“１”になってから、カウンタ（図３のカウンタ１１３相当）のカウント値が図３の周期データＤ１相当になるまでは、同期信号Ｓ１０を“１”にしない。つまり、前回の同期信号Ｓ９が“１”になってから水平同期信号の周期が終了する以前に同期信号Ｓ９が再度“１”になっても、同期信号Ｓ１０は“０”のままとなる。これにより、同期信号Ｓ９のパルス間に存在する他のパルスを除去できる。
【００２３】
図１０Ａ〜図１０Ｃに、同期再生装置の全体の動作波形図を示す。図１０Ａは信号欠損時の動作波形図である。信号欠損が起こると、スキュー／欠損信号発生回路２１の立下りのタイミングで同期切替信号Ｓ７が“１”になり、切替器３０が仮想同期信号Ｓ４を選択する。これまで、仮想同期信号Ｓ３が発生しているが、切換器３０が仮想同期信号Ｓ４を選択した時点では仮想同期信号Ｓ３にパルスは発生していない。しかし、立上り検出器２４の立上り検出信号Ｓ８が加算器１５に入力するので、これが仮想同期信号Ｓ４のパルスとなる。以後、同期切替信号Ｓ７が“１”の期間は、仮想同期信号Ｓ３に対応する仮想同期信号Ｓ４が不要信号除去回路４０に入力する。これにより、信号欠損があっても、ＰＬＬ回路５０に仮想同期信号Ｓ４が水平同期信号Ｓ１０として入力する。
【００２４】
図１０Ｂは入力同期信号Ｓ１にパルス間隔が短くなるようなスキューが発生した場合の動作波形図である。スキューが起こると、そのときの入力同期信号Ｓ１は切換器３０を経由して不要信号除去器４０に入力するが、その後、スキュー／欠損検出回路２２の検出信号Ｓ６が“１”となり、同期切替信号Ｓ７が“１”となり、切換器３０が仮想同期信号Ｓ４を選択する。このとき、立上りエッジ検出器２４が同期切替信号Ｓ７の立ち上がりを検出して信号Ｓ８が“１”となるので、切換器３０からはダブルパルスが出力する。しかし、このダブルパルスの内の後のパルス（信号Ｓ８によるパルス）は不要信号除去器４０によって除去される。以後、同期切替信号Ｓ７が“１”の期間は不要信号除去器４０に仮想同期信号Ｓ４が入力する。これにより、信号間隔が短くなるスキュー発生時であっても、ＰＬＬ回路５０に仮想同期信号Ｓ４が水平同期信号Ｓ１０として入力する。
【００２５】
図１０Ｃは入力同期信号Ｓ１に信号間隔が長くなるようなスキューが発生した場合の動作波形図である。仮想同期信号Ｓ３には正規間隔のパルスが発生しているが、このときは切換器３０が入力同期信号Ｓ１を選択しているので、スキューが起こっても、仮想同期信号Ｓ４が不要信号除去器４０に正に入力することはない。スキューが起こったときは、スキュー／欠損範囲信号Ｓ５の立下り時にスキュー／欠損検出回路２２の検出信号Ｓ６が“１”となり、同期切替信号Ｓ７が“１”となり、切換器３０が仮想同期信号Ｓ４を選択する。このとき、立上りエッジ検出器２４から出力する信号Ｓ８が“１”となり、仮想同期信号Ｓ４として切換器３０を経由して不要信号除去器４０に入力する。以後、同期切替信号Ｓ７が“１”の期間は不要信号除去器７０に仮想同期信号Ｓ４が入力し、これにより、信号間隔が長くなるスキュー発生時であっても、途切れなくＰＬＬ回路５０に仮想同期信号Ｓ４が水平同期信号Ｓ１０として入力する。
【符号の説明】
【００２６】
１０：仮想同期信号発生器、１１：水平同期抽出回路、１１１：立上りエッジ検出回路、１１２：アンド回路、１１３：カウンタ、１１４：マスク発生回路、１２：周期データ検出回路、１２１：ＦＦ回路、１３：周期データ平均化回路、１３１：ＤＦＦ回路、１３２：シフトレジスタ、１３３：加算器、１３４：割算器、１３４：加算データ制限回路、１３５：アンド回路、１４：仮想同期信号発生回路、１４１：オア回路、１４２：カウンタ、１４３：仮想信号発生回路
２０：スキュー／欠損検出器、２１：スキュー／欠損範囲発生回路、２２：スキュー／欠損検出回路、２３：スキュー／欠損信号制限回路、２４：立上りエッジ検出回路
３０：切換器
４０：不要信号除去回路
５０：ＰＬＬ回路
【図１】
2014072654.tif 000003
【図２】
2014072654.tif 000004
【図３】
2014072654.tif 000005
【図４】
2014072654.tif 000006
【図５】
2014072654.tif 000007
【図６】
2014072654.tif 000008
【図７】
2014072654.tif 000009
【図８】
2014072654.tif 000010
【図９】
2014072654.tif 000011
【図１０Ａ】
2014072654.tif 000012
【図１０Ｂ】
2014072654.tif 000013
【図１０Ｃ】
2014072654.tif 000014
【図１１】
2014072654.tif 000015